(57)【要約】【課題】固定枠に取り付けられる枠体をコンパクトに形成する。【解決手段】断面矩形の筒状に形成される固定枠１１と、固定枠１１の内部に入れ子状に外側から内側に収納される第一、第二、第三及び第四可動枠体１２、１３、１４、１５と、第四可動枠体１５に取り付けられたフィルタ１６とを備える。固定枠１１の左右の側板１１ｂの下部で、ボルト１１ｆにより、第一、第二、第三及び第四可動枠体１２、１３、１４、１５の左右の側板１２ｂ、１３ｂ、１４ｂ、１５ｂが互いに回動可能に支持される。第一、第二、第三及び第四可動枠体１２、１３、１４、１５は、その天板１２ａ、１３ａ、１４ａ、１５ａが、固定枠１１、第一、第二及び第三可動枠体１２、１３、１４内から引き出されると、固定枠１１、第一、第二及び第三可動枠体１２、１３、１４の支持片１１ｄ、１２ｄ、１３ｄ、１４ｄにそれぞれ支持される。【選択図】図１
2015161422.tif 000002
【特許請求の範囲】
【請求項１】
外壁の換気口の周縁に取り付けられる固定枠と、その固定枠に取り付けられる枠体とを備え、前記換気口と枠体の内部とが連通するようにしたウェザーカバーにおいて、
前記枠体が前記固定枠の内部に入れ子状に収納される複数の可動枠体から構成され、
前記固定枠は、天板、左右の側板及び底板により断面矩形の筒体に形成され、その固定枠の天板の後側端部に下方に突き出す支持片を有し、
前記各可動枠体は、天板とその天板の左右方向両端から下方に延びる左右の側板とを備え、前記各可動枠体の天板は、前側端部に形成された上方に突き出す係止片と後側端部に形成された下方に突き出す支持片とを有し、
前記固定枠の内部に前記複数の可動枠体が入れ子状に収納される状態で、前記固定枠の左右の側板の下部で、軸体により、前記各可動枠体の左右の側板が互いに回動可能に支持され、
前記複数の可動枠体のうち、最も外側に収納される可動枠体は、前記固定枠の内部に収まる収納位置と、その係止片が前記固定枠の支持片に係止する係止位置との間で回動し、前記複数の可動枠体のうち、最も外側の可動枠体よりも内側の可動枠体は、その可動枠体に対して直近外側の可動枠体の内部に収まる収納位置と、前記内側の可動枠体の係止片が前記直近外側の可動枠体の支持片に係止する係止位置との間で回動するようにしたことを特徴とするウェザーカバー。
【請求項２】
前記複数の可動枠体が前記係止位置となる状態で、前記複数の可動枠体のうち、最も内側の可動枠体の後側端部と前記固定枠の前側端部とのなす角度が直角となるようにしたことを特徴とする請求項１に記載のウェザーカバー。
【請求項３】
前記複数の可動枠体のうち、最も内側の可動枠体の後側端部にフィルタを備えた請求項１または２に記載のウェザーカバー。
【発明の詳細な説明】
【技術分野】
【０００１】
この発明は、建物の外壁に設けられる換気口の周りに固定される固定枠と、その固定枠に取り付けられ、換気口内への雨水の侵入を防ぐ枠体とを備えるウェザーカバーに関する。
【背景技術】
【０００２】
従来、建物において室内の換気あるいは外壁と内壁との間の換気を目的として、外壁に換気口が設けられている。この換気口から雨水の室内あるいは壁体内への浸入を防止するために、換気口にウェザーカバーが装着するのが一般的である。
【０００３】
このウェザーカバーは、換気口の周囲を囲むように外壁に取り付けられる固定枠と、固定枠に形成される筒状の枠体とを備え、固定枠を外壁の換気口の周縁に固定し、換気口と枠体の内部とを連通させたものが知られている（例えば、特許文献１参照）。
【０００４】
特許文献１に記載のウェザーカバーの枠体は、湾曲する天板、両側板、及び下板とからなる断面矩形の筒状に形成され、外壁の換気口に一方の開口部が対向し、他方の開口部が下方を向くように湾曲している。
【０００５】
固定枠は、天板及び両側板の一方の開口部側の端部に形成された各フランジを有し、枠体の一方の開口部が建物外壁の換気口に対向し、他方の開口部が下方を向く状態で、換気口の周囲に固定枠が取り付けられる。
【先行技術文献】
【特許文献】
【０００６】
【特許文献１】特開２００８−１１１６４１号公報
【発明の概要】
【発明が解決しようとする課題】
【０００７】
ところで、上記特許文献１に記載のウェザーカバーの枠体は、湾曲する天板、両側板、及び下板とからなる断面矩形の筒状に形成されている。このため、ウェザーカバーは、これを在庫として保管する際、あるいは、施工現場へ輸送する際、枠体がかさ張り、保管コストまたは輸送コストが掛かるという問題があった。
【０００８】
そこで、この発明の課題は、固定枠に取り付けられる枠体をコンパクトに形成することである。
【課題を解決するための手段】
【０００９】
前記の課題を解決するために、この発明に係るウェザーカバーは、
外壁の換気口の周縁に取り付けられる固定枠と、その固定枠に取り付けられる枠体とを備え、前記換気口と枠体の内部とが連通するようにしたウェザーカバーにおいて、前記枠体が前記固定枠の内部に入れ子状に収納される複数の可動枠体から構成され、前記固定枠は、天板、左右の側板及び底板により断面矩形の筒体に形成され、その固定枠の天板の後側端部に下方に突き出す支持片を有し、前記各可動枠体は、天板とその天板の左右方向両端から下方に延びる左右の側板とを備え、前記各可動枠体の天板は、前側端部に形成された上方に突き出す係止片と後側端部に形成された下方に突き出す支持片とを有し、前記固定枠の内部に前記複数の可動枠体が入れ子状に収納される状態で、前記固定枠の左右の側板の下部で、軸体により、前記各可動枠体の左右の側板が互いに回動可能に支持され、前記複数の可動枠体のうち、最も外側に収納される可動枠体は、前記固定枠の内部に収まる収納位置と、その係止片が前記固定枠の支持片に係止する係止位置との間で回動し、前記複数の可動枠体のうち、最も外側の可動枠体よりも内側の可動枠体は、その可動枠体に対して直近外側の可動枠体の内部に収まる収納位置と、前記内側の可動枠体の係止片が前記直近外側の可動枠体の支持片に係止する係止位置との間で回動するようにした構成を採用することができる。
【００１０】
この構成によると、枠体を構成する複数の可動枠体は、固定枠の内部に収納することができる。また、複数の可動枠体は、固定枠または直近外側の可動枠体に対して、回動可能であるので、最も内側の可動枠体は、その後側端部を固定枠の前側端部に対して、任意の角度となる位置に回動させることが可能となる。
【発明の効果】
【００１１】
この発明のウェザーカバーとしては、固定枠内に、枠体を構成する複数の可動枠体が入れ子状に収納可能であるので、固定枠内に複数の可動枠体を収納した状態では、可動枠体がかさ張ることがなく、運送コストと保管コストの低減することができる。
【００１２】
また、最も内側の可動枠体は、その後側端部を固定枠の前側端部に対して、任意の角度となる位置に回動可能であるので、可動枠体の後側端部となる最も内側の可動枠体の後側端部と外壁とのなす角度を、外壁の換気口周りの環境に応じて、変更することができる。
【図面の簡単な説明】
【００１３】
【図１】この発明に係る実施形態のウェザーカバーを示す断面図
【図２】同上のウェザーカバーを示す平面図
【図３】同上のウェザーカバーを示す正面図
【図４】同上のウェザーカバーを示す側面図
【図５】同上のウェザーカバーを示す底面図
【図６】同上のウェザーカバーの可動枠体の収納状態を示す縦断面図
【図７】同上のウェザーカバーの可動枠体の引き出し状態を示す縦断面図
【図８】同上のウェザーカバーのフィルタ取り付け状態を示す一部切り欠き拡大図
【図９】同上のウェザーカバーのダクトとの接続状態を示す側面図
【発明を実施するための形態】
【００１４】
以下、この発明の第一の実施形態に係るウェザーカバーを図１〜図５に基づいて説明する。このウェザーカバー１０は、図１〜図５に示すように、外壁の換気口に取り付けられる固定枠１１と、固定枠１１に取り付けられる枠体を構成し、固定枠１１の内部に入れ子状に収納される第一可動枠体１２、第二可動枠体１３、第三可動枠体１４及び第四可動枠体１５と、第四可動枠体１５に取り付けられたフィルタ１６とを備えている。
【００１５】
固定枠１１は、天板１１ａ、左右方向の両側板１１ｂ、１１ｂ及び底板１１ｃにより断面矩形の筒体に形成され、その筒体の前後方向一端の全周に外向きのフランジ１７を備える。
【００１６】
なお、前後方向、左右方向及び上下方向とは、固定枠１１が取り付けられた外壁の換気口に正対し、固定枠１１の内部に第一可動枠体１２、第二可動枠体１３、第三可動枠体１４及び第四可動枠体１５が入れ子状に収納される状態での、前後方向、左右方向及び上下方向を意味する。
【００１７】
天板１１ａは、後側端縁の全長に下向きに形成されたフランジ状の支持片１１ｄを有し、底板１１ｃは、前後方向の後側端部が全長に下向きに屈曲する受け板部１１ｅを有する。両側板１１ｂ、１１ｂは、その下方に第一可動枠体１２、第二可動枠体１３、第三可動枠体１４及び第四可動枠体１５を回動可能に支持する軸体となるボルト１１ｆを有する。
【００１８】
第一可動枠体１２は、天板１２ａと、天板１２ａの左右方向両端から下方に直角に延びる左右の側板１２ｂ、１２ｂとを備える。天板１２ａは、図１に示すように、左右の側板１２ｂ、１２ｂの間において、前側端部の全長に上向きに形成されたフランジ状の係止片１２ｃを有し、後側端部の全長に下向きに形成されたフランジ状の支持片１２ｄを備える。
【００１９】
天板１２ａ及び左右の側板１２ｂは、前後方向の幅が同じ幅に形成され、固定枠１１の天板１１ａ及び左右の側板１１ｂよりも、前後方向の幅が小さく形成されている（図６参照）。左右の側板１２ｂは、固定枠１１の左右の側板１１ｂよりも、上下方向の長さが小さく形成される。左右の側板１２ｂ、１２ｂの間隔は、固定枠１１の左右の側板１１ｂ、１１ｂの間隔よりも小さく形成されている。
【００２０】
第一可動枠体１２は、天板１２ａが固定枠１１の天板１１ａ側に位置する状態で、その固定枠１１内に収納可能となる（図６参照）。
【００２１】
第二、第三及び第四可動枠体１３、１４、１５は、第一可動枠体１２と同様、天板１３ａ、１４ａ、１５ａと、天板１３ａ、１４ａ、１５ａの左右方向両端から同じ方向に延びる左右の側板１３ｂ、１４ｂ、１５ｂとを備えている。
【００２２】
第二、第三及び第四可動枠体１３、１４、１５の天板１３ａ、１４ａ、１５ａは、左右の側板１３ｂ、１４ｂ、１５ｂの間において、前端部の全長に上向きに形成されるフランジ状の係止片１３ｃ、１４ｃ、１５ｃと、後側端部の全長に下向きに形成されるフランジ状の支持片１３ｄ、１４ｄ、１５ｄとを備える。
【００２３】
第二、第三可動枠体１３、１４の天板１３ａ、１４ａは、第一可動枠体１２の天板１２ａと同じ前後方向の幅に形成されている。第四可動枠体１５は、第一可動枠体１２の天板１２ａよりも、前後方向の幅が大きく形成されている（図６参照）。
【００２４】
また、第四可動枠体１５は、後側端部にフィルタ１６を備えている。フィルタ１６は矩形の金網であり、ホルダ１８内に押さえ枠１９により固定され、第四可動枠体１５の後側端部に取り付けられている。
【００２５】
ホルダ１８は、図８に示すように、フィルタ１６の周縁部を覆い、フィルタ１６が露出する矩形の開口を有する矩形板状の枠部１８ａと、枠部１８ａの外周縁部から全周にわたって立ち上がるフランジ１８ｂとを有する。
【００２６】
押さえ枠１９は、フィルタ１６の周縁部を覆い、フィルタ１６が露出する矩形の開口を有する矩形板状の枠体であり、ホルダ１８のフランジ１８ｂ内で枠部１８ａ上に重ね合わせ可能である。
【００２７】
フィルタ１６は、その外周部が押さえ枠１９とホルダ１８のフランジ１８ｂ側の枠部１８ａとに挟まれる。ねじ部材２０の締め付けにより、押さえ枠１９とホルダ１８の枠部１８ａとの間に固定され、ホルダ１８は、上端部が第四可動枠体１５の支持片１５ｄが係合する状態で、第四可動枠体１５の後側端部に固定される。
【００２８】
第一、第二、第三及び第四可動枠体１２、１３、１４、１５は、第一可動枠体１２、第二可動枠体１３、第三可動枠体１４、第四可動枠体１５の順に、左右の側板１２ｂ、１３ｂ、１４ｂ、１５ｂの間隔が小さく形成され、かつ左右の側板１２ｂ、１３ｂ、１４ｂ、１５ｂの長さが小さく形成される。
【００２９】
このため、第一、第二、第三及び第四可動枠体１２、１３、１４、１５は、その左右の側板１２ｂ、１３ｂ、１４ｂ、１５ｂの間隔が小さい順に内側から外側に入れ子状に固定枠１１内に収納可能となる。
【００３０】
第一、第二、第三及び第四可動枠体１２、１３、１４、１５が固定枠１１の内部に入れ子状に収納される状態（収納状態）で、左側板１２ｂ、１３ｂ、１４ｂ及び１５ｂは、その下端部の上下位置が揃い、固定枠１１の左側板１１ｂの下部で、左側の軸体となるボルト１１ｆにより、回動可能に支持される。
【００３１】
また、右側板１２ｂ、１３ｂ、１４ｂ及び１５ｂも、上記の左側板１２ｂ、１３ｂ、１４ｂ及び１５ｂと同様に、その下端部の上下位置が揃い、固定枠１１の右側板１１ｂの下部で右側の軸体となるボルト１１ｆにより、回動可能に支持される。
【００３２】
上記収納状態から、第一、第二、第三及び第四可動枠体１２、１３、１４、１５のうち最も外側に配置される第一可動枠体１２は、固定枠１１の内部に収まる収納位置と、その係止片１２ｃが固定枠１１の支持片１１ｄに係止する係止位置との間で回動する。
【００３３】
すなわち、第一可動枠体１２は、天板１２ａが固定枠１１内から引き出されると、図７に示すように、係止片１２ｃが固定枠１１の支持片１１ｄに係止し、係止位置で固定枠１１の支持片１１ｄにより支持される。
【００３４】
また、第一可動枠体１２よりも内側に配置される第二可動枠体１３は、これに対して直近外側に配置される第一可動枠体１２の内部に収まる収納位置と、第二可動枠体１３の係止片１３ｃが第一可動枠体１２の支持片１２ｄに係止する係止位置との間で回動する。
【００３５】
すなわち、第二可動枠体１３は、天板１３ａが第一可動枠体１２内から引き出されると、係止片１３ｃが第一可動枠体１２の支持片１２ｄに係止し、係止位置で第一可動枠体１２の支持片１２ｄにより支持される。
【００３６】
さらに、第三可動枠体１４（第四可動枠体１５）も、第二可動枠体１３の場合と同様、第三可動枠体１４（第四可動枠体１５）に対して直近外側に配置される第二可動枠体１３（第三可動枠体１４）の内部に収まる収納位置と、第三可動枠体１４（第四可動枠体１５）の係止片１４ｃ（係止片１５ｃ）が第二可動枠体１３（第三可動枠体１４）の支持片１３ｄ（支持片１４ｄ）に係止する係止位置との間で回動する。
【００３７】
すなわち、第三可動枠体１４は、天板１４ａが第二可動枠体１３内から引き出されると、係止片１４ｃが第二可動枠体１３の支持片１３ｄに係止し、係止位置で第二可動枠体１３の支持片１３ｄにより支持される。
【００３８】
また、第四可動枠体１５は、天板１５ａが第三可動枠体１４内から引き出されると、係止片１５ｃが第三可動枠体１４の支持片１４ｄに係止し、係止位置で、第三可動枠体１４の支持片１４ｄにより支持される。
【００３９】
この係止位置で第一、第二、第三及び第四可動枠体１２、１３、１４、１５が支持されると、フィルタ１６が取り付けられた第四可動枠体１５の後側端部は、図７に示すように、固定枠１１の前側端部とのなす角度が直角となる。このため、フィルタ１６が下方を向く状態となり、外壁の換気口の内部への雨水や異物の侵入を防止する。
【００４０】
この実施形態では、可動枠体は、その個数が第一、第二、第三及び第四可動枠体の四個であるが、これに限定されず、顧客のニーズ、外壁の換気口の位置、環境によって、二個、三個、または五個と、変更してもよい。
【００４１】
この実施形態のウェザーカバー１０は上記のように構成される。続いて、この実施形態のウェザーカバー１０の使用方法を図面に基づいて説明する。
【００４２】
ます、使用前のウェザーカバー１０は、図６に示すように、固定枠１１の内に第一、第二、第三及び第四可動枠体１２、１３、１４、１５が入れ子状に収納された状態となっている。
【００４３】
この収納状態のウェザーカバー１０は、第一、第二、第三及び第四可動枠体１２、１３、１４、１５が、固定枠１１から大きく突き出すことがない。このため、ウェザーカバー１０は、かさ張らないので、倉庫などでの保管コストを低減することができる。
【００４４】
さらに、現場へのウェザーカバー１０の輸送時、複数の可動枠体がかさ張ることがないので、輸送トラックの荷台、鉄道のコンテナなど、収容可能な輸送数を増やすことができ、輸送コストの低減を図ることができる。
【００４５】
続いて、現場に輸送されたウェザーカバー１０は、固定枠１１内で第一、第二、第三及び第四可動枠体１２、１３、１４、１５が収納状態となっている。この収納状態で、外壁の内側から換気口に固定枠１１を差し込む。
【００４６】
そして、外壁の内側における換気口の周縁部に固定枠１１のフランジ１７を突き合わせ、アンカーボルト等のねじ部材により固定枠１１を換気口の周縁部に固定する。
【００４７】
その後、外壁の外側から、第一、第二、第三及び第四可動枠体１２、１３、１４、１５の上部を上述した係止位置まで引き出す。その後、必要に応じて、左右のボルト１１ｆ、１１ｆにナットを締め付け、係止位置で第一、第二、第三及び第四可動枠体１２、１３、１４、１５を固定、保持する。
【００４８】
また、換気口が設けられる外壁Ｗに他の建物の外壁が迫り、第四可動枠体１５のフィルタ１６を水平に配置できない場合や、ウェザーカバー１０にダクトＤを外壁Ｗに対して鋭角に傾く状態で接続させる場合がある。
【００４９】
このような場合でも、図９に示すように、第三可動枠体１４に対して第四可動枠体１５は、フィルタ１６が水平に対して上向きの角度αに傾く状態に固定することが可能である。このため、外壁と第四可動枠体１５の前後方向の他端部とのなす角度を、外壁Ｗの換気口周りの環境に応じて、任意に変更させることが可能となる。
【符号の説明】
【００５０】
１０  ウェザーカバー
１１  固定枠
１１ａ  天板
１１ｂ  側板
１１ｃ  底板
１１ｄ  支持片
１１ｅ  受け板部
１１ｆ  ボルト
１２  第一可動枠体
１３  第二可動枠体
１４  第三可動枠体
１５  第四可動枠体
１２ａ、１３ａ、１４ａ、１５ａ  天板
１２ｂ、１３ｂ、１４ｂ、１５ｂ  側板
１２ｃ、１３ｃ、１４ｃ、１５ｃ  係止片
１２ｄ、１３ｄ、１４ｄ、１５ｄ  支持片
１６  フィルタ
１７  フランジ
１８  ホルダ
１８ａ  枠部
１８ｂ  フランジ部
１９  押さえ枠
２０  ねじ部材
Ｗ  外壁
Ｄ  ダクト
【図１】
2015161422.tif 000003
【図２】
2015161422.tif 000004
【図３】
2015161422.tif 000005
【図４】
2015161422.tif 000006
【図５】
2015161422.tif 000007
【図６】
2015161422.tif 000008
【図７】
2015161422.tif 000009
【図８】
2015161422.tif 000010
【図９】
2015161422.tif 000011